【手続補正書】
【提出日】平成28年9月5日(2016.9.5)
【手続補正１】
【補正対象書類名】特許請求の範囲
【補正対象項目名】全文
【補正方法】変更
【補正の内容】
【特許請求の範囲】
【請求項１】
光源として青色光を発光する青色ＬＥＤと、青色光が照射されるアウターカバーとを備え、該アウターカバーが、青色光を吸収して発光する橙色発光蛍光体を分散させた高分子材料からなる成形体を含み、上記橙色発光蛍光体の体積累計５０％の粒径Ｄ５０が１μｍ以上であることを特徴とする車両用方向指示器。
【請求項２】
更に、上記青色ＬＥＤが配設されたベースハウジングを備えることを特徴とする請求項１記載の車両用方向指示器。
【請求項３】
上記橙色発光蛍光体が、ガーネット構造を有する橙色発光蛍光体であることを特徴とする請求項１又は２記載の車両用方向指示器。
【請求項４】
上記橙色発光蛍光体が、（Ｙ，Ｇｄ）3Ａｌ5Ｏ12：Ｃｅ蛍光体又はＹ3Ａｌ5Ｏ12：Ｃｅ蛍光体であることを特徴とする請求項３記載の車両用方向指示器。
【請求項５】
上記アウターカバー中の高分子材料に対する蛍光体の割合が、１質量％以上３０質量％以下であることを特徴とする請求項１乃至４のいずれか１項記載の車両用方向指示器。
【請求項６】
上記高分子材料が、熱可塑性樹脂及び熱硬化性樹脂から選ばれる１種類以上の樹脂であることを特徴とする請求項１乃至５のいずれか１項記載の車両用方向指示器。
【請求項７】
上記熱可塑性樹脂が、ポリエチレン、ポリプロピレン、ポリスチレン、ポリカーボネート、ＡＢＳ樹脂及びアクリル樹脂から選ばれる１種類以上の熱可塑性樹脂であることを特徴とする請求項６記載の車両用方向指示器。
【請求項８】
上記熱硬化性樹脂が、シリコーン樹脂、エポキシ樹脂、フェノール樹脂、ウレタン樹脂及び不飽和ポリエステル樹脂から選ばれる１種類以上の熱硬化性樹脂であることを特徴とする請求項６又は７記載の車両用方向指示器。
【請求項９】
上記青色ＬＥＤが、発光部をなす素子を、光散乱剤を分散した封止材で封止してなる青色ＬＥＤであることを特徴とする請求項１乃至８のいずれか１項記載の車両用方向指示器。
【請求項１０】
上記青色ＬＥＤの発光方向前方に、光散乱剤を分散した散光部材を備えることを特徴とする請求項１乃至８のいずれか１項記載の車両用方向指示器。
【請求項１１】
上記青色ＬＥＤの発光方向前方に、青色ＬＥＤから発光した青色光に配光角を与えるレンズを備えることを特徴とする請求項１乃至８のいずれか１項記載の車両用方向指示器。
【請求項１２】
上記アウターカバーが、断面円弧状の凸形状であることを特徴とする請求項１乃至１１のいずれか１項記載の車両用方向指示器。
【請求項１３】
上記アウターカバーが、表面に、凹凸形状のテクスチャを有することを特徴とする請求項１乃至１２のいずれか１項記載の車両用方向指示器。
【請求項１４】
更に、上記アウターカバーの外側にカラーフィルターを備えることを特徴とする請求項１乃至１２のいずれか１項記載の車両用方向指示器。
【請求項１５】
上記カラーフィルターが、励起光である青色光の一部がアウターカバーに吸収されずに漏れ出して、色調が変わることを防止する、青色光を反射又は吸収する透光性カバーであることを特徴とする請求項１４記載の車両用方向指示器。
【請求項１６】
上記カラーフィルターが、表面に、凹凸形状のテクスチャを有することを特徴とする請求項１４又は１５記載の車両用方向指示器。
【請求項１７】
車両外部に光を照射するように、車両外表面部に一体化して用いられることを特徴とする請求項１乃至１６のいずれか１項記載の車両用方向指示器。
【手続補正２】
【補正対象書類名】明細書
【補正対象項目名】０００９
【補正方法】変更
【補正の内容】
【０００９】
従って、本発明は、下記の車両用方向指示器を提供する。
請求項１：
光源として青色光を発光する青色ＬＥＤと、青色光が照射されるアウターカバーとを備え、該アウターカバーが、青色光を吸収して発光する橙色発光蛍光体を分散させた高分子材料からなる成形体を含み、上記橙色発光蛍光体の体積累計５０％の粒径Ｄ５０が１μｍ以上であることを特徴とする車両用方向指示器。
請求項２：
更に、上記青色ＬＥＤが配設されたベースハウジングを備えることを特徴とする請求項１記載の車両用方向指示器。
請求項３：
上記橙色発光蛍光体が、ガーネット構造を有する橙色発光蛍光体であることを特徴とする請求項１又は２記載の車両用方向指示器。
請求項４：
上記橙色発光蛍光体が、（Ｙ，Ｇｄ）3Ａｌ5Ｏ12：Ｃｅ蛍光体又はＹ3Ａｌ5Ｏ12：Ｃｅ蛍光体であることを特徴とする請求項３記載の車両用方向指示器。
請求項５：
上記アウターカバー中の高分子材料に対する蛍光体の割合が、１質量％以上３０質量％以下であることを特徴とする請求項１乃至４のいずれか１項記載の車両用方向指示器。
請求項６：
上記高分子材料が、熱可塑性樹脂及び熱硬化性樹脂から選ばれる１種類以上の樹脂であることを特徴とする請求項１乃至５のいずれか１項記載の車両用方向指示器。
請求項７：
上記熱可塑性樹脂が、ポリエチレン、ポリプロピレン、ポリスチレン、ポリカーボネート、ＡＢＳ樹脂及びアクリル樹脂から選ばれる１種類以上の熱可塑性樹脂であることを特徴とする請求項６記載の車両用方向指示器。
請求項８：
上記熱硬化性樹脂が、シリコーン樹脂、エポキシ樹脂、フェノール樹脂、ウレタン樹脂及び不飽和ポリエステル樹脂から選ばれる１種類以上の熱硬化性樹脂であることを特徴とする請求項６又は７記載の車両用方向指示器。
請求項９：
上記青色ＬＥＤが、発光部をなす素子を、光散乱剤を分散した封止材で封止してなる青色ＬＥＤであることを特徴とする請求項１乃至８のいずれか１項記載の車両用方向指示器。
請求項１０：
上記青色ＬＥＤの発光方向前方に、光散乱剤を分散した散光部材を備えることを特徴とする請求項１乃至８のいずれか１項記載の車両用方向指示器。
請求項１１：
上記青色ＬＥＤの発光方向前方に、青色ＬＥＤから発光した青色光に配光角を与えるレンズを備えることを特徴とする請求項１乃至８のいずれか１項記載の車両用方向指示器。
請求項１２：
上記アウターカバーが、断面円弧状の凸形状であることを特徴とする請求項１乃至１１のいずれか１項記載の車両用方向指示器。
請求項１３：
上記アウターカバーが、表面に、凹凸形状のテクスチャを有することを特徴とする請求項１乃至１２のいずれか１項記載の車両用方向指示器。
請求項１４：
更に、上記アウターカバーの外側にカラーフィルターを備えることを特徴とする請求項１乃至１２のいずれか１項記載の車両用方向指示器。
請求項１５：
上記カラーフィルターが、励起光である青色光の一部がアウターカバーに吸収されずに漏れ出して、色調が変わることを防止する、青色光を反射又は吸収する透光性カバーであることを特徴とする請求項１４記載の車両用方向指示器。
請求項１６：
上記カラーフィルターが、表面に、凹凸形状のテクスチャを有することを特徴とする請求項１４又は１５記載の車両用方向指示器。
請求項１７：
車両外部に光を照射するように、車両外表面部に一体化して用いられることを特徴とする請求項１乃至１６のいずれか１項記載の車両用方向指示器。
また、本発明は、下記の車両用方向指示器が関連する。
［１］  光源として青色光を発光する青色ＬＥＤと、青色光が照射されるアウターカバーとを備え、該アウターカバーが、青色光を吸収して発光する蛍光体を分散させた高分子材料からなる成形体を含むことを特徴とする車両用方向指示器。
［２］  更に、上記青色ＬＥＤが配設されたベースハウジングを備えることを特徴とする［１］記載の車両用方向指示器。
［３］  上記蛍光体が、橙色発光蛍光体であることを特徴とする［１］又は［２］記載の車両用方向指示器。
［４］  上記橙色発光蛍光体が、ガーネット構造を有する橙色発光蛍光体であることを特徴とする［３］記載の車両用方向指示器。
［５］  上記高分子材料が、熱可塑性樹脂及び熱硬化性樹脂から選ばれる１種類以上の樹脂であることを特徴とする［１］乃至［４］のいずれかに記載の車両用方向指示器。
［６］  上記熱可塑性樹脂が、ポリエチレン、ポリプロピレン、ポリスチレン、ポリカーボネート、ＡＢＳ樹脂及びアクリル樹脂から選ばれる１種類以上の熱可塑性樹脂であることを特徴とする［５］記載の車両用方向指示器。
［７］  上記熱硬化性樹脂が、シリコーン樹脂、エポキシ樹脂、フェノール樹脂、ウレタン樹脂及び不飽和ポリエステル樹脂から選ばれる１種類以上の熱硬化性樹脂であることを特徴とする［５］又は［６］記載の車両用方向指示器。
［８］  上記青色ＬＥＤが、発光部をなす素子を、光散乱剤を分散した封止材で封止してなる青色ＬＥＤであることを特徴とする［１］乃至［７］のいずれかに記載の車両用方向指示器。
［９］  上記青色ＬＥＤの発光方向前方に、光散乱剤を分散した散光部材を備えることを特徴とする［１］乃至［７］のいずれかに記載の車両用方向指示器。
［１０］  上記青色ＬＥＤの発光方向前方に、青色ＬＥＤから発光した青色光に配光角を与えるレンズを備えることを特徴とする［１］乃至［７］のいずれかに記載の車両用方向指示器。
［１１］  上記アウターカバーが、表面に、凹凸形状のテクスチャを有することを特徴とする［１］乃至［１０］のいずれかに記載の車両用方向指示器。
［１２］  更に、上記アウターカバーの外側にカラーフィルターを備えることを特徴とする［１］乃至［１０］のいずれかに記載の車両用方向指示器。
［１３］  上記カラーフィルターが、表面に、凹凸形状のテクスチャを有することを特徴とする請求項［１２］記載の車両用方向指示器。
［１４］  車両外部に光を照射するように、車両外表面部に一体化して用いられることを特徴とする［１］乃至［１３］のいずれかに記載の車両用方向指示器。